(57)【特許請求の範囲】
【請求項１】
塗装対象物にスプレー塗装が行われる塗装室と、
該塗装室からの排出ガスを該塗装室の床排出部を介して吸引する排気室と、
前記排出ガスに含有される未塗着塗料ミストを捕集するフィルタユニットと、を備える塗装設備において、
前記床排出部に前記フィルタユニットを接続して、前記床排出部の開口部と前記フィルタユニットの上面開口部とを連通状態にする第一接続機構と、
前記排気室に前記フィルタユニットを接続して、前記排気室の開口部と前記フィルタユニットの側面開口部とを連通状態にする第二接続機構とを備え、
前記第一接続機構が、前記フィルタユニットの上端部分の外側面全周に接触して前記排出ガスの漏れを防止するシール部を有しており、
前記シール部に対して前記フィルタユニットの上端部分を横方向から導入するための導入部が、前記シール部に設けられていることを特徴とする塗装設備。
【請求項２】
開閉可能又は脱着可能な部分シール部が前記導入部に設けられていることを特徴とする請求項１に記載の塗装設備。
【請求項３】
前記シール部の平面形状が、前記導入部の側ほど幅広くなる台形であり、前記フィルタユニットの上端部分の外側面の平面形状が、前記シール部の平面形状と略一致する台形であって、前記フィルタユニットの上端部分を横方向から前記シール部に導入したときに、前記フィルタユニットの上端部分の外側面が前記シール部の内側に嵌合するように構成されていることを特徴とする請求項１又は２に記載の塗装設備。
【請求項４】
前記シール部における導入部の幅の大きさが変更可能に構成されていることを特徴とする請求項１又は２に記載の塗装設備。
【請求項５】
前記第一接続機構が、前記フィルタユニットの移動をガイドするガイド部材を備えることを特徴とする請求項１〜４のいずれか一項に記載の塗装設備。
【請求項６】
前記ガイド部材の端部が、前記フィルタユニットの移動経路の外側に湾曲していることを特徴とする請求項５に記載の塗装設備。
【請求項７】
前記フィルタユニットが、前記ガイド部材に接して回転するローラー部材を有することを特徴とする請求項５又は６に記載の塗装設備。
【請求項８】
前記第二接続機構が、前記排気室と前記フィルタユニットとを接続するための連結部材を備え、該連結部材が、遠隔操作可能に構成されていることを特徴とする請求項１〜７のいずれか一項に記載の塗装設備。
【発明の詳細な説明】
【技術分野】
【０００１】
本発明は、塗装対象物にスプレー塗装が行われる塗装室と、該塗装室からの排出ガスを該塗装室の床排出部を介して吸引する排気室と、前記排出ガスに含有される未塗着塗料ミストを捕集するフィルタユニットと、を備える塗装設備に関する。
【背景技術】
【０００２】
塗装設備における、未塗着塗料ミストを捕集するフィルタユニットとしては、例えば特許文献１に示されるように、ボール紙材料や段ボール紙等の紙から構成されるフィルタ部材を備えるものが知られている。
【先行技術文献】
【特許文献】
【０００３】
【特許文献１】特表２０１４−５２７４６２号公報
【発明の概要】
【発明が解決しようとする課題】
【０００４】
上記特許文献１の塗装設備では、紙製のフィルタ部材の端面を中間流路に押し付けることによって密封性を確保するように構成されている。そのため、ある期間が経過すると、紙製のフィルタ部材が脆弱化して密封性を保てなくなり、隙間が生じて排出ガスが漏れ出てしまう虞がある。【０００５】
本発明は上記実情に鑑みてなされたものであって、その目的は、紙製のフィルタ部材を有するフィルタユニットを使用する場合においても、紙製のフィルタ部材が脆弱化することなく、密封性が確保される塗装設備を提供することにある。
【課題を解決するための手段】
【０００６】
本発明に係る塗装設備の特徴は、塗装対象物にスプレー塗装が行われる塗装室と、
該塗装室からの排出ガスを該塗装室の床排出部を介して吸引する排気室と、
前記排出ガスに含有される未塗着塗料ミストを捕集するフィルタユニットと、を備える塗装設備において、
前記床排出部に前記フィルタユニットを接続して、前記床排出部の開口部と前記フィルタユニットの上面開口部とを連通状態にする第一接続機構と、
前記排気室に前記フィルタユニットを接続して、前記排気室の開口部と前記フィルタユニットの側面開口部とを連通状態にする第二接続機構とを備え、
前記第一接続機構が、前記フィルタユニットの上端部分の外側面全周に接触して前記排出ガスの漏れを防止するシール部を有しており、
前記シール部に対して前記フィルタユニットの上端部分を横方向から導入するための導入部が、前記シール部に設けられている点にある。【０００７】
本構成によれば、フィルタユニットの上端部分が、排出ガスの漏れを防止するシール部に対して、導入部を介して横方向から導入されて側面でシールされるため、従来の塗装設備のように紙製のフィルタ部材の端面を押さえつけることによって密封性を確保する必要がない。従って、フィルタユニットが、たとえ紙製のフィルタ部材を備えるものであったとしても、当該フィルタ部材が経時的に脆弱化して密封性を保てなくなるということはなく、排出ガスが漏れ出てしまう虞もない。【０００８】
本発明に係る塗装設備においては、開閉可能又は脱着可能な部分シール部が前記導入部に設けられていると好適である。【０００９】
本構成のごとく、開閉可能又は脱着可能な部分シール部を導入部に設けることによって、フィルタユニットの上端部分をシール部に導入し易くなると共に、部分シール部によって、フィルタユニットの上端部分がより確実にシールされる。【００１０】
本発明に係る塗装設備においては、前記シール部の平面形状が、前記導入部の側ほど幅広くなる台形であり、前記フィルタユニットの上端部分の外側面の平面形状が、前記シール部の平面形状と略一致する台形であって、前記フィルタユニットの上端部分を横方向から前記シール部に導入したときに、前記フィルタユニットの上端部分の外側面が前記シール部の内側に嵌合するように構成されていると好適である。【００１１】
本構成によれば、フィルタユニットの上端部分における、初めに導入される側の横幅よりも、シール部の導入部の側の横幅が相対的に広くなるため、細かい位置合わせが不要であり、フィルタユニットの上端部分を、第一接続機構のシール部に導入し易くなる。【００１２】
本発明に係る塗装設備においては、前記シール部における導入部の幅の大きさが変更可能に構成されていると好適である。【００１３】
本構成のごとく、シール部における導入部の幅の大きさが変更可能に構成されていることによって、フィルタユニットの上端部分をシール部により一層導入し易くなる。【００１４】
本発明に係る塗装設備においては、前記第一接続機構が、前記フィルタユニットの移動をガイドするガイド部材を備えると好適である。【００１５】
本構成によれば、フィルタユニットがガイド部材によってガイドされるため、より確実にフィルタユニットを所定の位置に設置することができる。【００１６】
本発明に係る塗装設備においては、前記ガイド部材の端部が、前記フィルタユニットの移動経路の外側に湾曲していると好適である。【００１７】
本構成のごとく、ガイド部材の端部が、フィルタユニットの移動経路の外側に湾曲していることによって、細かな位置合わせを行うことなくフィルタユニットをガイドレールに沿って容易に押し込むことができる。【００１８】
本発明に係る塗装設備においては、前記フィルタユニットが、前記ガイド部材に接して回転するローラー部材を有すると好適である。【００１９】
本構成のごとく、フィルタユニットのローラー部材がガイド部材に接して回転することによって、フィルタユニットをよりスムーズに移動させることができる。【００２０】
本発明に係る塗装設備においては、前記第二接続機構が、前記排気室と前記フィルタユニットとを接続するための連結部材を備え、該連結部材が、遠隔操作可能に構成されていると好適である。【００２１】
本構成によれば、連結部材によって排気室とフィルタユニットとがより確実に接続されると共に、フィルタユニットを塗装設備に設置する際、連結部材を遠隔操作することによって、設置作業がより一層実施し易いものとなる。
【図面の簡単な説明】
【００２２】
【図１】本発明に係る塗装設備の正面概略構成図である。
【図２】フィルタユニットを設置した後の第一接続機構とフィルタユニットの平面図である。
【図３】フィルタユニットを設置した後の第一接続機構とフィルタユニットの縦断面図である。
【図４】フィルタユニットを設置する前の第一接続機構とフィルタユニットの斜視図である。
【図５】フィルタユニットを設置する前の第一接続機構とフィルタユニットの側面図である。
【図６】フィルタユニットを設置する前の第一接続機構とフィルタユニットの平面図である。
【図７】シール部と、フィルタユニットの上部筐体のフランジ部との接触状態を示す縦断面図である。
【図８】シール部と、フィルタユニットの上部筐体におけるその他の形態のフランジ部との接触状態を示す縦断面図である。
【図９】シール部と、フィルタユニットの上部筐体におけるその他の形態のフランジ部との接触状態を示す縦断面図である。
【図１０】シール部のその他の実施形態を示す平面図である。
【発明を実施するための形態】
【００２３】
以下に、本発明に係る塗装設備の実施形態について、図面を参照しながら説明をする。
【００２４】
図１に示すように、塗装設備１は、塗装対象物としての、例えば自動車のボディＢにスプレー塗装を行う塗装室２と、塗装室２からの排出ガスＧを、床排出部３を介して吸引する排気室４と、排出ガスＧに含有される未塗着塗料ミストを捕集する、左右一対のフィルタユニット５と、を備える。
【００２５】
左右一対のフィルタユニット５は、床排出部３の下方において、排気室４を挟むように設けられている。なお、本明細書において左右とは、図１における紙面の左右である。
【００２６】
本実施形態においては、フィルタユニット５は同様の構成をしたものが、排気室４を挟んで左右反転した状態に設けられているため、左右の区別が不要な場合には、左右一対のフィルタユニット５の一方のみを説明して、他方の説明を省略する。
【００２７】
塗装室２は、塗装室２にボディＢを搬入・搬出するコンベア機構Ｃや、コンベア機構Ｃによって搬入されたボディＢに対して周囲から所定の塗料をスプレーするスプレー装置Ｓ等を備える。
【００２８】
塗装室２の天面には給気口２０が設けられている。給気口２０の上流側には送風ファンＦ１が設けられており、給気口２０を介して供給された新鮮な空気が除塵フィルタ２１によって除塵されて塗装室２の内部に供給されるように構成されている。
【００２９】
塗装室２の作業床２２は通気可能に構成されている。作業床２２の下に床排出部３が設けられており、床排出部３の底面に排出開口部３０が設けられている。床排出部３の高さは、コンベア機構Ｃに備えられるレール等とフィルタユニット５との干渉を避けることができる程度に設定されている。
【００３０】
床排出部３の排出開口部３０の下側に、床排出部３とフィルタユニット５とを接続するための第一接続機構６が、排出開口部３０の周縁を囲むように設けられている。第一接続機構６によって、床排出部３の排出開口部３０とフィルタユニット５の上面開口部５１とが連通状態となる。
【００３１】
排気室４の側面に排気開口部４０が設けられている。排気室４の側面の外側に、排気室４とフィルタユニット５とを接続するための第二接続機構７が、排気開口部４０の周縁を囲むように設けられている。第二接続機構７によって、排気室４の排気開口部４０とフィルタユニット５の側面開口部５５とが連通状態となる。
【００３２】
排気室４の下流側に吸引ファンＦ２が設けられている。吸引ファンＦ２を駆動させることによって、塗装室２における未塗着塗料ミストを含む空気が排出ガスＧとして、作業床２２から床排出部３に引き込まれた後、床排出部３の排出開口部３０を介して、フィルタユニット５の上面開口部５１に導入される。
【００３３】
次いで、フィルタユニット５に導入された排出ガスＧは、フィルタユニット５によって未塗着塗料ミストが分離除去された後、フィルタユニット５の側面開口部５５から排出されて排気室４の排気開口部４０を介して排気室４に到達し、そこから装置外部に排出される。
【００３４】
排気開口部４０には、流量調整ダンパー４１が設けられている。流量調整ダンパー４１によって各経路を流れる空気の流量を調節することによって、フィルター部材の目詰まりの状況に応じて低下する各フィルタユニット５の通過風量を調節することができる。
【００３５】
排出ガスＧは、フィルタユニット５の上面開口部５１を介して（図２、図４参照）、フィルタユニット５に対して略鉛直方向に導入された後、フィルタユニット５の側面開口部５５を介して略水平方向に排出されるように構成されている。即ち、フィルタユニット５の中には、排出ガスＧが移動するＬ字状の流路が形成されている。
【００３６】
図４及び図５に示すように、フィルタユニット５は、横断面形状が略長方形状の箱型筐体であり、上部筐体５０と下部筐体５４とを備える。
【００３７】
図示しないが、上部筐体５０の内部には、カードボードやクラフト紙を適宜折り曲げて構成される通気路を有する紙製のミストセパレータが設けられており、下部筐体５４の内部には、未塗着塗料ミストの捕集性能が紙製のミストセパレータよりも高い、不織布製の中性能フィルタなどが設けられている。
【００３８】
図２〜図４に示すように、上部筐体５０の上面部分には、平面視において略長方形状の上面開口部５１が形成されている。また上部筐体５０の上端部分の全周にわたって、上方フランジ部５２が形成されている。また、上方フランジ部５２の下側であって、且つ、平面視において上部筐体５０の長辺を為す側の両外側面には、長手方向に沿うローラー部材５３が設けられている。
【００３９】
図２及び図５に示すように、平面視において下部筐体５４の短辺を為す側の一側面には、側面視において略長方形状の側面開口部５５が形成されている。そして、側面開口部５５の周縁を囲むように、下部筐体５４の外側面に下方フランジ部５６が設けられている。
【００４０】
図４及び図５に示すように、下部筐体５４の底面の四隅に車輪５７が設けられており、作業者がフィルタユニット５を容易に移動させることができるように構成されている。
【００４１】
図２〜図４に示すように、第一接続機構６は、平面視にて略矩形をなす枠板状の上方シール部６０を備える。上方シール部６０は、フィルタユニット５の上部筐体５０の上端部分の外側面全周に接触して、排出ガスＧの漏れを防止する。
【００４２】
上方シール部６０には、フィルタユニット５の上部筐体５０の上端部分を横方向から導入するための導入部６１が設けられている。導入部６１には、上下に開閉可能な跳ね上げ式の平板状の部分シール部６２が設けられている。尚、部分シール部６２については、上下に開閉可能な構成に限らず、例えば、左右に開閉可能な構成であったり、あるいは、上方シール部６０に対して脱着可能な構成であっても良い。
【００４３】
図２及び図６に示すように、上方シール部６０の平面形状を、導入部６１の側ほど幅広くなる台形とし、さらにフィルタユニット５の上部筐体５０の上方フランジ部５２の外側面の平面形状を、上方シール部６０の平面形状と略一致する台形として、フィルタユニット５の上部筐体５０の上方フランジ部５２を、導入部６１を介して上方シール部６０に導入したときに、フィルタユニット５の上部筐体５０の上方フランジ部５２の外側面が上方シール部６０の内側に嵌合するように構成されていることが望ましい。尚、本実施形態におけるフィルタユニット５の上部筐体５０の上方フランジ部５２の外側面の平面形状は、上部筐体５０の長辺に沿う方向において、下部筐体５４の下方フランジ部５６が設けられている側ほど幅が狭くなるような台形形状となっている。
【００４４】
この構成によれば、上部筐体５０の上方フランジ部５２における初めに導入される側の横幅よりも、上方シール部６０の導入部６１の側の横幅が相対的に広くなるため、細かい位置合わせが不要であり、フィルタユニット５の上部筐体５０の上方フランジ部５２を、第一接続機構６の上方シール部６０に導入し易くなる。
【００４５】
上方シール部６０は、弾力性の低下し難い素材で構成されていることが望ましい。また上方シール部６０の内側面は、フィルタユニット５が装着されるときの摩擦低減と破損防止の目的のため、テフロン（登録商標）テープ等ですべり加工が施されていることが望ましい。
【００４６】
また図２〜図４に示すように、第一接続機構６は、フィルタユニット５の移動をガイドする２本のガイドレール６３（ガイド部材の一例）を備える。ガイドレール６３は、フィルタユニット５の移動経路に沿う方向に延びる上方シール部６０の部分に沿って、当該上方シール部６０の部分の下側に設けられている。
【００４７】
図２に示すように、上方シール部６０の導入部６１の側における、ガイドレール６３の端部が、フィルタユニット５の移動経路の外側に向けて平面視にて円弧状に湾曲している。ガイドレール６３は、フィルタユニット５を塗装設備１に装着する際に、フィルタユニット５のローラー部材５３を受け入れることができるように構成されている。
【００４８】
図１及び図５に示すように、第二接続機構７は、側面視にて略矩形をなす枠状の下方シール部７０と、フィルタユニット５の下部筐体５４の下方フランジ部５６を連結するためのシリンダ７１（連結部材の一例）とを備える。図２及び図５に示すように、シリンダ７１は、下方シール部７０の横幅方向における両端二か所で、且つ下方シール部７０の上下方向の略中間位置に設けられている。
【００４９】
フィルタユニット５を塗装設備１に設置する際、下方シール部７０に対して、下方フランジ部５６が側面から押し付けられることで第二接続機構７の気密状態が保たれるように構成されている。そして、下方シール部７０及び下方フランジ部５６の双方が、シリンダ７１によって挟み込まれることによって下方シール部７０と下方フランジ部５６とが連結される。尚、シリンダ７１については、フィルタユニット５の近傍に設けられている図示しない遠隔操作スイッチなどで遠隔操作可能に構成されていることが望ましい。
【００５０】
フィルタユニット５は、塗装設備１に対して着脱自在に構成されている。例えば、フィルタユニット５を塗装設備１から取り外し、使用期間を経過したミストセパレータ等のフィルタ部材を新しいものと交換した後、再びフィルタユニット５を塗装設備１に設置することができる。
【００５１】
フィルタユニット５を塗装設備１に設置するには、先ず、図４に示すように、部分シール部６２を上げて導入部６１を開放する。さらに、図示しないが、遠隔操作スイッチ等の操作によって、シリンダ７１を開放状態にしておく。
【００５２】
次いで、図５及び図６に示すように、フィルタユニット５の下部筐体５４の下方フランジ部５６を排気室４の方に向けた姿勢で、ガイドレール６３に沿って、フィルタユニット５を導入部６１の方へと押し込んでゆく。
【００５３】
このとき、ガイドレール６３の端部が湾曲しているため、細かな位置合わせを行うことなくフィルタユニット５をガイドレール６３に沿って容易に押し込むことができると共に、フィルタユニット５のローラー部材５３がガイドレール６３に接して回転することによって、フィルタユニット５をよりスムーズに移動させることができる。
【００５４】
図２に示すように、フィルタユニット５を導入部６１に向けてさらに押し込むことによって、フィルタユニット５の上部筐体５０の上方フランジ部５２が、導入部６１を介して横方向から上方シール部６０に導入されて、上方シール部６０の一番奥まで到達すると、フランジ部の外側面が上方シール部６０の内側に嵌合する。このとき同時に、フィルタユニット５の下部筐体５４の下方フランジ部５６が、第二接続機構７の下方シール部７０と接合する。
【００５５】
最後に、第一接続機構６の上方シール部６０における部分シール部６２を下げて、フィルタユニット５の上部筐体５０の上方フランジ部５２に接合させる。さらに、遠隔操作スイッチ等を操作してシリンダ７１を作動させて、第二接続機構７の下方シール部７０と、フィルタユニット５の下部筐体５４の下方フランジ部５６とを挟みこんで、下方シール部７０と下方フランジ部５６とを連結する。これにより、塗装設備１に対するフィルタユニット５の設置が完了する。
【００５６】
図７に示すように、第一接続機構６の上方シール部６０が、フィルタユニット５の上部筐体５０の上方フランジ部５２の外側面全周と互いに垂直面で面接触し、さらに、図示しないが、第二接続機構７の下方シール部７０が、フィルタユニット５の下部筐体５４の下方フランジ部５６の外側面全体と垂直面で面接触することによって、フィルタユニット５の密封性が確保され、排出ガスＧの漏れを防止することができる。
【００５７】
本構成によれば、フィルタユニット５の上部筐体５０の上方フランジ部５２が、排出ガスＧの漏れを防止する上部シール部６０に対して、導入部６１を介して横方向から導入されてシールされて、図３に示すように、フィルタユニット５の上面開口部５１が、床排出部３の排出開口部３０の外枠と非接触状態となる。
【００５８】
即ち、従来の塗装設備のように紙製のフィルタ部材の端面を押さえつけることによって密封性を確保する必要がない。従って、本実施形態におけるフィルタユニット５が、たとえ紙製のフィルタ部材を備えるものであったとしても、当該フィルタ部材が経時的に脆弱化して密封性を保てなくなるということはなく、排出ガスが漏れ出てしまう虞もない。
【００５９】
また、塗装設備１が稼働している間、吸引ファンＦ２の働きによってフィルタユニット５の内部が負圧になるが、フィルタユニット５は、強固な構造であるため、負圧による変形などの虞がなく、排出ガスＧがフィルタユニット５の外側へ漏れ出すことも防止される。
【００６０】
尚、フィルタユニット５の上部筐体５０の上方フランジ部５２の縦断面形状については、図７に示すような縦長の略矩形の形状に限定されず、他にも例えば、接触面積がより小さい形態として、図８に示すような横長の略矩形の形状や、あるいは図９に示すような円弧状の形状としても良い。しかしながら、密封性を確保し易くするため、接触面積ができるだけ大きくなるような形状とすることが望ましい。
【００６１】
第一接続機構６の上方シール部６０の縦幅の寸法については、フィルタユニット５の設置床面に多少の凹凸があったとしても、フィルタユニット５の上部筐体５０の上方フランジ部５２の全体が、確実に上方シール部６０と接触することができるように余裕をもたせて設定することが望ましい。
【００６２】
尚、図１及び図２に示すように、第二接続機構７の下方シール部７０の縦幅寸法及び横幅寸法についても、フィルタユニット５の設置床面に多少の凹凸があったとしても、フィルタユニット５の下部筐体５４の下方フランジ部５６の全体が確実に下方シール部７０と接触することができるように、余裕をもたせてより大きく設定することが望ましい。
【００６３】
（その他の実施形態）
１．上述の実施形態における第一接続機構の上方シール部は、平面形状が変化しない形態となっているが、これに限定されるものではなく、他にも図１０に示すように、三つの枠板部材を蝶番等で連結することによって、上方シール部６０における導入部の幅の大きさが変更可能に構成されているような形態としても良い。
【００６４】
２．上述の実施形態では、塗装設備１が左右一対のフィルタユニット５を備える構成が示されているが、この構成に限定されるものではなく、フィルタユニット５を左右のうちの片側にのみ備えるように構成しても良い。
【００６５】
３．上述の実施形態では、第一接続機構６がガイドレール６３を備え、フィルタユニット５がローラー部材５３を備える構成が示されているが、この構成に限定されるものではなく、第一接続機構６がガイド部材としてのローラー部材を備えており、フィルタユニット５の側面が当該ローラー部材に接することで、フィルタユニット５がガイドされるような構成としても良い。
【００６６】
尚、上述のように図面を参照しつつ本発明を説明したが、本発明は当該図面の構成に限定されるものではなく、本発明の要旨を逸脱しない範囲において様々な態様で実施することができることは言うまでもない。
【産業上の利用可能性】
【００６７】
本発明の塗装設備は、例えば自動車、鉄道車両、航空機、船舶などにおけるボディ全体又はこれを構成する種々のパーツについての塗装を行う技術分野において特に好適に利用することができる。
【符号の説明】
【００６８】
１  塗装設備
２  塗装室
２０  給気口
２１  除塵フィルタ
２２  作業床
３  床排出部
３０  排出開口部（床排出部の開口部）
４  排気室
４０  排気開口部（排気室の開口部）
４１  流量調整ダンパー
５  フィルタユニット
５０  上部筐体
５１  上面開口部
５２  上方フランジ部（フィルタユニットの上端部分）
５３  ローラー部材
５４  下部筐体
５５  側面開口部
５６  下方フランジ部
５７  車輪
６  第一接続機構
６０  上方シール部（シール部）
６１  導入部
６２  部分シール部
６３  ガイドレール（ガイド部材の一例）
７  第二接続機構
７０  下方シール部
７１  シリンダ（連結部材の一例）
Ｂ  ボディ
Ｇ  排出ガス
Ｃ  コンベア機構
Ｓ  スプレー装置
Ｆ１  送風ファン
Ｆ２  吸引ファン
【要約】
紙製のフィルタ部材を有するフィルタユニットを使用する場合においても、紙製のフィルタ部材が脆弱化することなく、密封性が確保される塗装設備を提供すること。
床排出部にフィルタユニット５を接続して、床排出部の開口部とフィルタユニット５の上面開口部５１とを連通状態にする第一接続機構と、排気室にフィルタユニット５を接続して、排気室の開口部とフィルタユニット５の側面開口部とを連通状態にする第二接続機構とを備え、第一接続機構が、フィルタユニット５の上端部分の外側面全周に接触して排出ガスの漏れを防止するシール部６０を有しており、シール部６０に対してフィルタユニット５の上端部分を横方向から導入するための導入部６１が、シール部６０に設けられている。【図１】
0006831499.tif 000002
【図２】
0006831499.tif 000003
【図３】
0006831499.tif 000004
【図４】
0006831499.tif 000005
【図５】
0006831499.tif 000006
【図６】
0006831499.tif 000007
【図７】
0006831499.tif 000008
【図８】
0006831499.tif 000009
【図９】
0006831499.tif 000010
【図１０】
0006831499.tif 000011